(57)【要約】      （修正有）【課題】自動安全ガード機能を有するエクササイズローラーのストッパー構造を提供する。【解決手段】丸棒１０の両端にそれぞれグリップ１１が形成され、少なくとも一つのローラー２０が該丸棒の該二つのグリップの間に枢設され、少なくとも一つのストッパー部材３０の中央には通過孔３１が設けられ、該ストッパー部材は該通過孔によって該丸棒に固定され、該ストッパー部材は一端に向かって前ストップアーム３４が延伸し、また該ストッパー部材はもう一端に向かって後ストップアーム３５が延伸し、該前ストップアームと該後ストップアームの長さはすべて該ローラーの半径より長い。該ローラーを遠すぎる位置または近すぎる位置にまで押した時、使用者の腕は連れられて上下に動かされ、該ストッパー部材が地面に当てるように連動されるため、使用者が体力の限界またはエクササイズに適した往復範囲を超えた時、自力でエクササイズの動きを止める必要がない。【選択図】図２
0003230751.tif 000002
【実用新案登録請求の範囲】
【請求項１】
丸棒と、少なくとも一つのローラーと、少なくとも一つのストッパー構造とを含むエクササイズローラーのストッパー構造であって、
前記丸棒の両端にそれぞれグリップが形成され、
前記少なくとも一つのローラーが前記丸棒の前記二つのグリップの間に枢設され、
前記少なくとも一つのストッパー部材の中央には通過孔が設けられ、前記ストッパー部材は前記通過孔によって前記丸棒に固定され、前記ストッパー部材は、一端に向かって前ストップアームが延伸し、またもう一端に向かって後ストップアームが延伸し、前記前ストップアームと前記後ストップアームの長さはすべて前記ローラーの半径より長いことを特徴とするエクササイズローラーのストッパー構造。
【請求項２】
前記丸棒の中段には貫通孔が設けられ、また前記ストッパー部材にはネジ穴が設けられ、前記ネジ穴が前記通過孔と繋がり、前記ネジ穴と前記貫通孔は合わせてネジ棒によって締め付けられることを特徴とする請求項１のエクササイズローラーのストッパー構造。
【請求項３】
前記ローラーの数量は二つであり、前記ストッパー部材は前記両ローラーの間に位置されることを特徴とする請求項１のエクササイズローラーのストッパー構造。
【請求項４】
前記ストッパー部材はプラスチック材料より作られることを特徴とする請求項１のエクササイズローラーのストッパー構造。
【請求項５】
前記前ストップアームと前記後ストップアームは互いに円弧状を呈することを特徴とする請求項１のエクササイズローラーのストッパー構造。
【請求項６】
前記前ストップアームと前記後ストップアームの末端にはそれぞれ滑り止め部材が固定されることを特徴とする請求項１のエクササイズローラーのストッパー構造。
【考案の詳細な説明】
【技術分野】
【０００１】
本考案はエクササイズローラーに関し、特に自動安全ガード機能があるエクササイズローラーのストッパー構造に関する。
【背景技術】
【０００２】
従来のエクササイズローラーは、ローラーと該ローラーを貫通する握り棒を含む。該ローラーは該握り棒に合わせて回転し、エクササイズをする時は両手で該握り棒を握り、また該ローラーを地面に当てて支える形になり、さらに該ローラーを前後に動かし、往復範囲内の位置移動によってエクササイズまたは筋肉トレーニングの目的を奏する。しかし、上述の従来構造をよく見ると不足する部分が残っていることが分かる。主な原因は、該エクササイズローラーにはストッパー機能がなく、使用者が体力の限界または操作をミスした時、使用者がスムーズにローラーを押し出したり、引き戻したりすることでできないため、使用者が一瞬にして転んだりする。使用者が使用時における精神的ストレスになるだけでなく、ひどくは筋肉を怪我させる恐れがあることは従来のエクササイズローラーにおける欠点である。
従って、本考案者は長年にわたって関係商品の製造開発と設計をした経験により、上述の目標について、詳しく設計をして慎重に評価した結果、実用性に満ちた本考案を得た。
【考案の概要】
【考案が解決しようとする課題】
【０００３】
現在技術における上述の欠点を解決し、エクササイズローラーのストッパー構造を提供する。
【課題を解決するための手段】
【０００４】
本考案のエクササイズローラーのストッパー構造は、丸棒の両端にそれぞれグリップが形成され、少なくとも一つのローラーが該丸棒の該二つのグリップの間に枢設され、少なくとも一つのストッパー部材の中央には通過孔が設けられ、該ストッパー部材は該通過孔によって該丸棒に固定され、該ストッパー部材は一端に向かって前ストップアームが延伸し、また該ストッパー部材はもう一端に向かって後ストップアームが延伸し、該前ストップアームと該後ストップアームの長さはすべて該ローラーの半径より長い。
【０００５】
該丸棒の中段には貫通孔が設けられ、また該ストッパー部材にはネジ穴が設けられ、該ネジ穴が該通過孔と繋がり、該ネジ穴と該貫通孔は合わせてネジ棒が締め付けられる。
【０００６】
該ローラーの数量は二つであり、該ストッパー部材は該両ローラーの間に位置される。
【０００７】
該ストッパー部材はプラスチック材料より作られる。
【０００８】
該前ストップアームと該後ストップアームは互いに円弧状を呈する。
【０００９】
該前ストップアームと該後ストップアームの末端にはそれぞれ滑り止め部材が固定される。
【００１０】
本考案の主な目的は、該ローラーが遠すぎる位置に押された時、使用者の腕は連れられて下へ動かされることで、該丸棒が回転させられ、さらに該ストッパー部材の後ストップアームが地面に当てるように連動されると、該ローラーが押され続けることを禁止する。該ローラーが近すぎる位置に引き戻される時、使用者の腕は連れられて上へ動かされることで、該丸棒が回転させられ、さらに該ストッパー部材の前ストップアームが地面に当てるように連動されると、該ローラーが引き戻され続けることを禁止する。使用者が体力の限界またはエクササイズに適した往復範囲を超えた時、自力でエクササイズの動きを止める必要がなく、最も良い安全ガード効果を奏する。
【図面の簡単な説明】
【００１１】
【図１】図１は、本考案に係るエクササイズローラーのストッパー構造を示す立体図である。
【図２】図２は、本考案に係るエクササイズローラーのストッパー構造を示す立体分解図である。
【図３】図３は、本考案に係るエクササイズローラーのストッパー構造を示す断面図（一）である。
【図４】図４は、本考案に係るエクササイズローラーのストッパー構造を示す断面図（二）である。
【図５】図５は、本考案の使用状態を示す図である。
【図６】図６は、本考案の正常動作状態を示す図である。
【図７】図７は、本考案が遠すぎる所まで押し出される状態を示す図である。
【図８】図８は、本考案が近すぎる所まで引き戻される状態を示す図である。
【考案を実施するための形態】
【００１２】
まず、図１と図２を参照されたい。本考案のエクササイズローラーのストッパー構造は、丸棒１０と、少なくとも一つのローラー２０と、少なくとも一つのストッパー構造３０とを含む。丸棒１０の両端にそれぞれグリップ１１が形成され、該丸棒１０の中段には貫通孔１２が設けられる。少なくとも一つのローラー２０が該丸棒１０の該二つのグリップ１１の間に枢設され、該ローラー２０の数量は二つであり、該ストッパー部材３０は該両ローラー２０の間に位置される。少なくとも一つのストッパー部材３０はプラスチック材料より作られ、該ストッパー部材３０の中央には通過孔３１が設けられ、また該ストッパー部材３０は該通過孔３１によって該丸棒１０に固定され、さらに該ストッパー部材３０にはネジ穴３２が設けられ、該ネジ穴３２が該通過孔３１と繋がり、該ネジ穴３２と該貫通孔１２は合わせてネジ棒３３が締め付けられる。該ストッパー部材３０は一端に向かって前ストップアーム３４が延伸し、また該ストッパー部材３０はもう一端に向かって後ストップアーム３５が延伸し、該前ストップアーム３４と該後ストップアーム３５は互いに円弧状を呈し、該前ストップアーム３４と該後ストップアーム３５の長さはすべて該ローラー２０の半径より長く、該前ストップアーム３４と該後ストップアーム３５の末端にはそれぞれ滑り止め部材３６が固定される。
構造の組合せは、図１から図４を連続に参照されたい。該丸棒１０は該ストッパー部材３０の通過孔３１に穿設されることで、該ストッパー部材３０のネジ穴３２が該貫通孔１２にぴったりに合わせられ、さらに該ネジ棒３３によって該ネジ穴３２と該貫通孔１２に締め付けられることで、該丸棒１０と該ストッパー部材３０は一体に固定される。また該両ローラー２０を該丸棒１０に嵌めると、該両ローラー２０が該ストッパー部材３０の後に当てられ、該丸棒１０の外側に該グリップ１１を嵌めることで、該ローラー２０が該丸棒１０の位置限定場所にだけ軸回転するように制限する。
【００１３】
実際の使用効果は引き続き図５と図６に合わせて図２を参照されたい。使用者が両手で該両グリップ１１を握り、該ローラー２０は地面に当て、該ストッパー部材３０の前ストップアーム３４が使用者の前方に向け、該後ストップアーム３５が使用者の後方に向けると、使用者は跪く形またはつま先で地面を着く方式で体を支えながら、該ローラー２０を前後に押すとエクササイズと筋肉トレーニングの効果を達せる。さらに図７と図８を参照されたい。使用者が体力の限界または操作をミスした時、該ローラー２０の転がりは力を適した往復範囲に越えられ、転がりの往復範囲を越えると該ローラー２０は力によって押したり、引き戻したりしにくく、筋肉を怪我させる恐れがある。本考案は該ローラー２０が遠すぎる位置に押された時、使用者の腕は連れられて下へ動かされることで、該丸棒１０が回転させられ、さらに該ストッパー部材３０の後ストップアーム３５が地面に当てるように連動されると、該ローラー２０が押され続けることを禁止する。該ローラー２０が近すぎる位置に引き戻される時、使用者の腕は連れられて上へ動かされることで、該丸棒１０が回転させられ、さらに該ストッパー部材３０の前止め動肩３４が地面に当てるように連動されると、該ローラー２０が引き戻され続けることを禁止する。上述をまとめる、使用者が体力の限界またはエクササイズに適した往復範囲を超えた時、自力でエクササイズの動きを止める必要がなく、最も良い安全ガード効果を奏する。すなわち、使用者がエクササイズを停止する必要がある時、該丸棒１０を主動に回転させて、該ストッパー部材３０を地面に当てさせるとストッパー効果を奏する。
以上は、本考案に係る実施例の一部に過ぎないため、本考案の実施範囲を制限するものではない。即ち、本考案の請求の範囲内で行われる変化、修飾なども本考案の範囲に属すべきである。
【符号の説明】
【００１４】
１０        丸棒
１１        グリップ
１２        貫通孔
２０        ローラー
３０        ストッパー部材
３１        通過孔
３２        ネジ穴
３３        ネジ棒
３４        前ストップアーム
３５        後ストップアーム
３６        滑り止め部材
【図１】
0003230751.tif 000003
【図２】
0003230751.tif 000004
【図３】
0003230751.tif 000005
【図４】
0003230751.tif 000006
【図５】
0003230751.tif 000007
【図６】
0003230751.tif 000008
【図７】
0003230751.tif 000009
【図８】
0003230751.tif 000010
【手続補正書】
【提出日】令和2年12月14日(2020.12.14)
【手続補正１】
【補正対象書類名】実用新案登録請求の範囲
【補正対象項目名】全文
【補正方法】変更
【補正の内容】
【実用新案登録請求の範囲】
【請求項１】
丸棒と、少なくとも一つのローラーと、少なくとも一つのストッパー部材とを含むエクササイズローラーのストッパー構造であって、
前記丸棒の両端にそれぞれグリップが形成され、
前記少なくとも一つのローラーが前記丸棒の前記二つのグリップの間に枢設され、
前記少なくとも一つのストッパー部材の中央には通過孔が設けられ、前記ストッパー部材は前記通過孔によって前記丸棒に固定され、前記ストッパー部材は、一端に向かって前ストップアームが延伸し、またもう一端に向かって後ストップアームが延伸し、前記前ストップアームと前記後ストップアームの長さはすべて前記ローラーの半径より長いことを特徴とするエクササイズローラーのストッパー構造。
【請求項２】
前記丸棒の中段には貫通孔が設けられ、また前記ストッパー部材にはネジ穴が設けられ、前記ネジ穴が前記通過孔と繋がり、前記ネジ穴と前記貫通孔は合わせてネジ棒によって締め付けられることを特徴とする請求項１のエクササイズローラーのストッパー構造。
【請求項３】
前記ローラーの数量は二つであり、前記ストッパー部材は前記両ローラーの間に位置されることを特徴とする請求項１のエクササイズローラーのストッパー構造。
【請求項４】
前記ストッパー部材はプラスチック材料より作られることを特徴とする請求項１のエクササイズローラーのストッパー構造。
【請求項５】
前記前ストップアームと前記後ストップアームは互いに円弧状を呈することを特徴とする請求項１のエクササイズローラーのストッパー構造。
【請求項６】
前記前ストップアームと前記後ストップアームの末端にはそれぞれ滑り止め部材が固定されることを特徴とする請求項１のエクササイズローラーのストッパー構造。